(57)【要約】【課題】ガラス板の積込作業および取出作業の作業性を向上するために、ガラス板をガラス板積層体の状態のまま、箱体の内部空間に出し入れ可能なガラス板梱包体を提供する。【解決手段】箱体６の底壁部６ａに、ガラス板積層体１の底面の略全面を支持する支持板７を設ける。積込作業時および取出作業時にガラス板積層体１全体を持ち上げ支持する支持手段をガラス板積層体１の底面の下に挿脱するために、支持板７の外周縁に沿う一部領域に切欠凹部７ａを設ける。【選択図】図１
2012051586.tif 000002
【特許請求の範囲】
【請求項１】
複数枚のガラス板を各相互間に保護シートを介在させて平置き積層したガラス板積層体を、底壁部、上蓋部および４つの側壁部を有する箱体の内部空間に収容するとともに、前記箱体の前記上蓋部を開いた状態で、前記ガラス板積層体の積込作業および取出作業が行われるガラス板梱包体であって、
前記箱体の前記底壁部に、前記ガラス板積層体の底面の略全面を支持する支持板を設けるとともに、前記積込作業時および前記取出作業時に前記ガラス板積層体全体を持ち上げ支持する支持手段を前記ガラス板積層体の底面の下に挿脱するために、前記支持板の外周縁に沿う一部領域に切欠凹部を設けたことを特徴とするガラス板梱包体。
【請求項２】
前記側壁部のうち、少なくとも前記切欠部の外側方に位置するものが、前記底壁部に対して取り外し又は傾倒可能であることを特徴とする請求項１に記載のガラス板梱包体。
【請求項３】
前記側壁部のうち、少なくとも前記切欠部の外側方に位置するものが、前記ガラス板積層体の側面との間に、前記取出手段を前記切欠部まで誘導可能な隙間を有していることを特徴とする請求項１に記載のガラス板梱包体。
【請求項４】
前記ガラス板積層体の底面を構成する底部は、前記ガラス板よりも剛性が高い板状体で構成されていることを特徴とする請求項１〜３のいずれか１項に記載のガラス板梱包体。
【請求項５】
前記板状体が、発泡樹脂で形成されていることを特徴とする請求項４に記載のガラス板梱包体。
【請求項６】
複数枚のガラス板を各相互間に保護シートを介在させて平置き積層したガラス板積層体を、底壁部、上蓋部および４つの側壁部を有する箱体の内部空間に収容するとともに、前記箱体の前記上蓋部を開いた状態で、前記ガラス板積層体の積込作業および取出作業が行われるガラス板梱包体であって、
前記積込作業時および前記取出作業時に、前記ガラス板積層体全体を持ち上げ支持する支持手段を前記ガラス板積層体の底面の下に挿脱するために、前記箱体の前記底壁部に下方に折り曲げ可能な折曲部を設け、該折曲部を下方に折り曲げた状態で、前記ガラス板積層体の底面の一部が下方側に露出するようにしたことを特徴とするガラス板梱包体。
【発明の詳細な説明】
【技術分野】
【０００１】
本発明は、複数枚のガラス板を各相互間に保護シートを介在させて平置き積層したガラス板積層体を、底壁部と上蓋部と４つの側壁部を有する箱体の内部空間に収容したガラス板梱包体に関する。
【背景技術】
【０００２】
液晶ディスプレイ、プラズマディスプレイ、有機ＥＬディスプレイなどのフラットパネルディスプレイ（ＦＰＤ）用のガラス基板など、各種分野に利用されるガラス板の梱包形態としては、箱体の内部空間に、複数枚のガラス板を各相互間に保護シートを介在させて平置き積層して梱包する形態が採用される場合がある（例えば、特許文献１を参照）。
【０００３】
この種の梱包形態で利用される箱体は、底壁部、上蓋部および４つの側壁部を有しており、箱体の上蓋部を開いた状態で、ガラス板の積込作業（梱包作業）および取出作業（開梱作業）が行われる。そして、積込作業時では、箱体の内部空間にガラス板を一枚ずつ積み込んで、その内部空間でガラス板を平置き積層するのが通例とされている。一方、取出作業時では、箱体の内部空間に平置き積層されたガラス板積層体の上方から順に一枚ずつガラス板を取り出すのが通例とされている。なお、ガラス板を箱体に出し入れする際には、ガラス板の上面を吸着パッドなどで吸着保持した状態で作業が行われる。
【先行技術文献】
【特許文献】
【０００４】
【特許文献１】特開２００５−７５３６６号公報
【発明の概要】
【発明が解決しようとする課題】
【０００５】
しかしながら、上述の積込作業や取出作業のように、箱体の内部空間に一枚ずつガラス板を積み込んで積層したり、或いは、箱体の内部空間に収容されたガラス板積層体の上方から順に一枚ずつガラス板を取り出す場合には、積込作業や取出作業の作業性が悪くなるという問題が生じ得る。これは、ガラス板と箱体の干渉を避けつつ、ガラス板の積み降ろし作業を積層枚数に応じた回数だけ繰り返す必要があるからである。特に、近年のように、ガラス板の薄板化に伴って、箱体内に収容されるガラス板の積層枚数が増加している状況下においては、作業性の悪化はより顕著になる。
【０００６】
そこで、積込作業や取出作業の作業性を向上させるために、予め平積み積層されたガラス板積層体全体を箱体の内部空間に一度に積み込んだり、箱体の内部空間で平積み積層されたガラス板積層体全体を一度に取り出すようにすることが考えられる。そして、この場合には、ガラス板を一枚ずつ積み降ろすときのように、ガラス板積層体の上面を吸着保持してもガラス板積層体全体を持ち上げ支持できないため、ガラス板積層体の底面の下に作業者の手指やロボットハンド等の支持手段を挿入し、ガラス板積層体全体を持ち上げ支持する必要がある。
【０００７】
ところが、特許文献１に開示されている梱包形態では、ガラス板積層体の底面全体が箱体の底壁部と密着するため、積込作業時に、ガラス板積層体を箱体の底壁部に載置した後、ガラス板積層体の底面の下から支持手段を抜き取ることが困難である。また同様に、取出作業時に、箱体の内部空間に収容されているガラス板積層体の底面の下に支持手段を挿入することも困難である。したがって、ガラス板をガラス板積層体の状態で箱体の内部空間に出し入れすることが実質的に不可能となる。
【０００８】
本発明は、以上の実情に鑑み、ガラス板の積込作業および取出作業の作業性を向上するために、ガラス板をガラス板積層体の状態のまま、箱体の内部空間に出し入れ可能なガラス板梱包体を提供することを技術的課題とする。
【課題を解決するための手段】
【０００９】
上記の課題を解決するために創案された本発明は、複数枚のガラス板を各相互間に保護シートを介在させて平置き積層したガラス板積層体を、底壁部、上蓋部および４つの側壁部を有する箱体の内部空間に収容するとともに、前記箱体の前記上蓋部を開いた状態で、前記ガラス板積層体の積込作業および取出作業が行われるガラス板梱包体であって、前記箱体の前記底壁部に、前記ガラス板積層体の底面の略全面を支持する支持板を設けるとともに、前記積込作業時および前記取出作業時に前記ガラス板積層体全体を持ち上げ支持する支持手段を前記ガラス板積層体の底面の下に挿脱するために、前記支持板の外周縁に沿う一部領域に切欠凹部を設けたことに特徴づけられる。
【００１０】
このような構成によれば、ガラス板積層体の底面を支持する支持板の外周縁に沿う一部領域に切欠凹部が設けられているため、この切欠凹部の空間を利用して、支持板の上に載置されたガラス板積層体の底面の下に支持手段を挿脱することができる。したがって、積込作業時には、支持手段で持ち上げ支持したガラス板積層体を支持板の上に載置した後、支持板に設けられた切欠凹部の空間を利用してガラス板積層体の底面の下から支持手段を抜き取ることができる。また同様に、取出作業時には、切欠凹部の空間を利用して支持板で支持された状態のガラス板積層体の底面の下に支持手段を挿入し、ガラス板積層体を持ち上げ支持することができる。なお、切欠凹部は、支持板の外周縁に沿う一部領域にのみ形成されているので、ガラス板積層体の底面が切欠凹部に対応する非支持領域で下方に垂れ下がるという事態も生じ難く、ガラス板積層体の支持状態を阻害することもない。
【００１１】
上記の構成において、前記側壁部のうち、少なくとも前記切欠部の外側方に位置するものが、前記底壁部に対して取り外し又は傾倒可能であることが好ましい。
【００１２】
このようにすれば、支持手段を移動させる際に、箱体の側壁部が邪魔にならないので、支持板に設けた切欠凹部まで支持手段を容易に誘導することができる。
【００１３】
上記の構成において、前記側壁部のうち、少なくとも前記切欠部の外側方に位置するものが、前記ガラス板積層体の側面との間に、前記取出手段を前記切欠部まで誘導可能な隙間を有していてもよい。
【００１４】
このようにすれば、箱体の側壁部を取り外したり或いは傾倒させなくても、側壁部とガラス板積層体の側面との間の隙間を利用して、支持板に設けた切欠凹部まで支持手段を誘導することができる。
【００１５】
上記の構成において、前記ガラス板積層体の底面を構成する底部は、前記ガラス板よりも剛性が高い板状体で構成されていることが好ましい。
【００１６】
このようにすれば、支持手段でガラス板積層体の底面を持ち上げ支持した場合でも、ガラス板積層体の底部を構成する板状体の剛性により、ガラス板積層体に含まれるガラス板に不当な撓みが生じるという事態を確実に防止することができる。そのため、ガラス板積層体を支持手段で安定した姿勢で持ち上げ支持することが可能となる。
【００１７】
この場合、前記板状体が、発泡樹脂で形成されていることが好ましい。
【００１８】
このようにすれば、板状体に適度な衝撃吸収性能を付与することができるので、ガラス板積層体に含まれるガラス板の破損を低減する上でも有利となる。
【００１９】
上記の課題を解決するために創案された本発明は、複数枚のガラス板を各相互間に保護シートを介在させて平置き積層したガラス板積層体を、底壁部、上蓋部および４つの側壁部を有する箱体の内部空間に収容するとともに、前記箱体の前記上蓋部を開いた状態で、前記ガラス板積層体の積込作業および取出作業が行われるガラス板梱包体であって、前記積込作業時および前記取出作業時に、前記ガラス板積層体全体を持ち上げ支持する支持手段を前記ガラス板積層体の底面の下に挿脱するために、前記箱体の前記底壁部に下方に折り曲げ可能な折曲部を設け、該折曲部を下方に折り曲げた状態で、前記ガラス板積層体の底面の一部が下方側に露出するようにしたことに特徴づけられる。
【００２０】
このような構成によれば、箱体の底壁部に設けられた折曲部を下方に折り曲げてガラス板積層体の底面の一部を露出させれば、底壁部の影響を受けることなく支持手段をガラス板積層体の底面の下に挿脱することができる。したがって、積込作業時には、支持手段で持ち上げ支持したガラス板積層体を、折曲部を下方に折り曲げた箱体の底壁部に載置すれば、底壁部との干渉を避けて、ガラス板積層体の底面の露出部分の下から支持手段を抜き取ることができる。また同様に、取出作業時にも、折曲部を下方に折り曲げておけば底壁部との干渉を避けて、ガラス板積層体の底面の露出部分の下に支持手段を挿入し、ガラス板積層体を持ち上げ支持することができる。
【発明の効果】
【００２１】
以上のような本発明によれば、ガラス板積層体を持ち上げ支持する支持手段をガラス板積層体の底面の下に容易に挿脱することができるので、ガラス板をガラス板積層体の状態のまま、箱体の内部空間に積み込んだり、或いは箱体の内部空間から取り出すことができる。したがって、積込作業時や取出作業時において、ガラス板をガラス板積層体の状態のまま取り扱うことができるので、ガラス板を一枚ずつ取り扱う場合に比して格段に作業効率を向上させることが可能となる。
【図面の簡単な説明】
【００２２】
【図１】本発明の第１実施形態に係るガラス板梱包体の部品分解配列斜視図である。
【図２】本発明の第１実施形態に係るガラス板梱包体において、ガラス板積層体が内部空間に配置された箱体を開いた状態を示す斜視図である。
【図３】(ａ)〜（ｃ）は、本発明の第１実施形態に係るガラス板梱包体の開梱手順を説明するための図である。
【図４】（ａ）は、本発明の第２実施形態に係るガラス板梱包体を示す平面図、（ｂ）は、（ａ）のＡ−Ａ断面図である。
【図５】（ａ）は、本発明の第３実施形態に係るガラス板梱包体に利用される箱体を示す斜視図、（ｂ）は、本発明の第３実施形態に係るガラス板梱包体を示す縦断面図、（ｃ）は、本発明の第３実施形態に係るガラス板梱包体において、ガラス板積層体が内部空間に配置された箱体を開いた状態を示す縦断面図である。
【発明を実施するための形態】
【００２３】
以下、本発明の実施形態を添付図面を参照して説明する。
【００２４】
図１は、本発明の第１実施形態に係るガラス板梱包体の部品分解配列斜視図である。このガラス板梱包体は、複数枚のガラス板２を各相互間に保護シート３を介在させて平置き積層したガラス板積層体１を、箱体６の内部空間に収容して梱包したものである。
【００２５】
ガラス板積層体１に含まれるガラス板２は、本実施形態では、厚みが０．０５〜１．５ｍｍで、一辺の大きさが２００〜１０００ｍｍを呈している。そして、このガラス板２は、例えば、液晶ディスプレイ・プラズマディスプレイ・有機ＥＬディスプレイ等のフラットパネルディスプレイ、太陽電池、リチウムイオン電池、デジタルサイネージ、タッチパネル、電子ペーパー等のデバイスのガラス基板、有機ＥＬ照明等のカバーガラス、医療品のガラス容器、窓板ガラス、積層軽量窓ガラスなどに利用される。
【００２６】
ガラス板積層体１に含まれる保護シート３は、本実施形態では、厚みが０．０２５〜３ｍｍで、一辺の大きさが対応するガラス板２の辺よりも長く、ガラス板２の外側に食み出すようになっている。なお、保護シート３は、ガラス板２の外側に食み出していなくてもよい。
【００２７】
ガラス板積層体１の最上部と最下部には、保護シート３に比して相対的に厚肉な天板４と底板５がそれぞれ配置されている。底板５は、ガラス板積層体１に含まれるガラス板２よりも高い剛性を有しており、底板５の両端部を下方から支持してガラス板積層体１全体を上方に持ち上げた場合に、底板５に不当な撓みが生じないようにしている。換言すれば、底板５が大きく撓むと、ガラス板２も底板５に倣って大きく撓んで破損するおそれがあるので、底板５の剛性を高めてガラス板２に撓みによる破損が生じるのを防止するようにしている。
【００２８】
この天板４及び底板５は、輸送時のガラス板２の破損を防止する観点から、例えば、発泡樹脂（例えば、発泡倍率：５〜５０倍）などから形成し、適度なクッション性を有していることが好ましい。更に、ガラス板積層体１の積込作業および取出作業はクリーンルーム内で行われる場合もあるので、天板４及び底板５の材質は発塵が少ないものであることが望ましい。
【００２９】
箱体６は、ガラス板積層体１が載置される底壁部６ａと、ガラス板積層体１の周囲を囲繞する４つの側壁部６ｂと、ガラス板積層体１の上方を覆う上蓋部６ｃとを有している。この実施形態では、これら底壁部６ａ、側壁部６ｂおよび上蓋部６ｃが、互いに連結されて一体となっている。詳細には、底壁部６ａの４辺にそれぞれ側壁部６ｂが折り曲げ可能に連結されており、側壁部６ｂの一つに上蓋部６ｃが折り曲げ可能に連結されている。そのため、箱体６は、略平面状に展開可能となっている。なお、箱体６は、上蓋部６ｃが底壁部６ａに対して取り外して分離できる構成であってもよく、この場合には、４つの側壁部６ｂのうち少なくとも１つを、上蓋部６ｃと共に底壁部６ａから取り外して分離できる構成としてもよい。
【００３０】
箱体６の底壁部６ａには、ガラス板積層体１の底面を支持する支持板７が配置される。この支持板７は、その外周縁のうち対向する２辺の各辺に沿う一部領域（図示例は辺の中央部領域）にそれぞれ切欠凹部７ａを有している。図２に示すように、この切欠凹部７ａは、支持板７を箱体６の底壁部６ａに配置し且つ箱体６の側壁部６ｂを外側に倒した状態で、側方に向かって開口している。なお、支持板７は、図示例のように底壁部６ａと別体であってもよいが、底壁部６ａに接着するなどして底壁部６ａと一体化されていてもよい。
【００３１】
支持板７は、例えば、金属、ガラス、木材、プラスチック樹脂、段ボールなどから形成されていてもよいが、ガラス板積層体１の積込作業や取出作業がクリーンルーム内で行われる場合もあるので、発塵が極力生じない材質で形成されていることが望ましい。さらに、支持板７は、輸送時のガラス板２の破損を防止する観点から、発泡樹脂（例えば、発泡倍率：５〜５０倍）で形成され、適度なクッション性を有していることが好ましい。
【００３２】
次に、以上のように構成されたガラス板梱包体の開梱手順（ガラス板積層体１の取出作業手順）と、ガラス板梱包体の梱包手順（ガラス板積層体１の積込作業手順）を説明する。
【００３３】
図３（ａ）に示すように、ガラス板梱包体の状態では、ガラス板積層体１が箱体６の内部空間に完全に収容されている。このとき、支持板７と側壁部６ｂとの間には、実質的に隙間が形成されておらず、支持板７の切欠凹部７ａの側方開口部は側壁部６ｂによって閉じられている。そして、開梱時には、この状態から、図３（ｂ）に示すように、上蓋部６ｃを開いた後、側壁部６ｂをそれぞれ外側に倒すことで、箱体６を展開する。これにより、支持板７の切欠凹部７ａの側方開口部を閉じていた側壁部６ｂが無くなるため、支持板７の切欠凹部７ａの側方開口部が開かれる。そのため、図３（ｃ）に示すように、ガラス板積層体１の底面に、切欠凹部７ａによって形成される空間を利用して作業者の手指を挿入することができ、ガラス板積層体１全体をそのまま上方に持ち上げ支持して箱体６の内部空間から取り出すことが可能となる。したがって、ガラス板梱包体の開梱作業時の作業効率を大幅に向上させることができる。
【００３４】
一方、ガラス板梱包体の梱包手順（積込作業手順）は、予めガラス板積層体１を製作し、上述した開梱手順と逆の手順（図３（ｃ）→図３（ｂ）→図３（ａ））で梱包する。そのため、ガラス板積層体１の底面に作業者の手指を挿入して持ち上げ支持した状態で、ガラス板積層体１全体をそのまま箱体６の底壁部６ａに配置された支持板７の上に載置しても、支持板７の切欠凹部７ａにより形成される空間を利用して、作業者の手指をガラス板積層体１の底面から抜き取ることが可能となる。
【００３５】
したがって、作業者の手指をガラス板積層体１の底面の下に容易に挿脱することができるので、ガラス板２をガラス板積層体１の状態のまま、箱体６の内部空間に積み込んだり、或いは、箱体６の内部空間から取り出すことができる。したがって、積込作業時や取出作業時において、ガラス板２をガラス板積層体１の状態のまま取り扱うことができるので、ガラス板２を一枚ずつ取り扱う場合に比して格段に作業効率を向上させることが可能となる。
【００３６】
なお、切欠凹部７ａは、支持板７の外周縁の対向する２辺の各辺に沿う一部領域に形成した場合を説明したが、少なくとも支持板７の１辺に沿う一部領域に形成されていればよい。
【００３７】
また、ガラス板積層体１に含まれるガラス板２は正方形・長方形のいずれであってもよい。ガラス板２が長方形である場合には、図示例のように、ガラス板２の短辺側に対応する位置に切欠凹部７ａを設けることが好ましい。
【００３８】
また、ガラス板積層体１の最下部を構成する底板５は、積層するガラス板２の枚数が少ない場合や、ガラス板２が小さい場合には、適宜省略することができる。これは、底板５を設けない状態でガラス板積層体１を持ち上げた場合でも、ガラス板積層体１の総重量が軽く、ガラス板２に大きな撓みが生じ難いためである。また、ガラス板積層体１の最上部を構成する天板４も、ガラス板梱包体の輸送条件等に応じて適宜省略してもよい。
【００３９】
また、ガラス板積層体１を作業者の手指で持ち上げ支持する場合を説明したが、ガラス板積層体１を持ち上げ支持する支持手段は、ロボットハンドなどの他の手段であってもよい。
【００４０】
図４（ａ）は、本発明の第２実施形態に係るガラス板梱包体を示す平面図であって、図４（ｂ）は、Ａ−Ａ断面図である。なお、同図（ａ），（ｂ）では、説明の便宜上、箱体６の上蓋部６ｃは図示していない。この第２実施形態に係るガラス板梱包体が、第１実施形態に係るガラス板梱包体と相違する点は、ガラス板積層体１の側面と、箱体６の側壁部６ｂの内面との間に隙間Ｓが形成され、この隙間Ｓにガラス板積層体１の面方向の動きを規制する規制部材８が配置されているところにある。
【００４１】
詳細には、図４（ａ）に示すように、この規制部材８は、ガラス板積層体１の周囲に、切欠凹部７ａの形成箇所を避けて部分的に設けられており、規制部材８の非設置箇所では、ガラス板積層体１の側面と箱体６の側壁部６ｂの内面との間に隙間Ｓが形成された状態となる。そのため、図４（ｂ）に示すように、この隙間Ｓに対して、箱体６の底壁部６ａに配置された支持板７の切欠凹部７ａが開口している。したがって、箱体６の側壁部６ｂを外側に開いて倒さなくても、作業者の手指をガラス板積層体１の側面と側壁部６ｂとの間の隙間Ｓを通じて切欠凹部７ａまで誘導することができるため、作業者の手指を支持板７の切欠凹部７ａの空間を利用してガラス板積層体１の底面の下に挿脱することが可能となる。なお、ガラス板積層体１の側面と側壁部６ｂとの間の隙間Ｓを利用して、作業者の手指を支持板７の切欠凹部７ａまで誘導することから、箱体６の側壁部６ｂは箱体６の外側に向かって展開できない構成であってもよい。
【００４２】
図５（ａ）は、本発明の第３実施形態に係るガラス板梱包体に利用される箱体を示す斜視図、図５（ｂ）は、本発明の第３実施形態に係るガラス板梱包体を示す縦断面図、図５（ｃ）は、本発明の第３実施形態に係るガラス板梱包体において、ガラス板積層体が内部空間に配置された箱体を開いた状態を示す縦断面図である。この第３実施形態に係るガラス板梱包体が、第１実施形態に係るガラス板梱包体と相違する点は、箱体６の底壁部６ａに下方に折り曲げ可能な折曲部６ａ１を設け、切欠凹部７ａが設けられた支持板７を省略したところにある。
【００４３】
詳細には、図５（ａ）に示すように、箱体６の底壁部６ａに２本の平行な折り目Ｘが設けられており、この２本の折り目Ｘに挟まれた中央側の領域が非折曲部６ａ２とされ、その非折曲部６ａ２の両側がそれぞれ折曲部６ａ１とされる。この場合、非折曲部６ａ２の両側の各々の折曲部６ａ１は、互いに同一幅であることが好ましい。なお、この実施形態では、折り目Ｘが、その長手方向に対向する側壁部６ｂにも連続的に形成されており、底壁部６ａの折曲部６ａ１と共に側壁部６ｂの一部も折り曲げられるようになっている。また、折り目Ｘが形成された側壁部６ｂの一方には上蓋部６ｃが連結されており、その側壁部６ｂと上蓋部６ｃの連結部には、その両側から連結部に沿って折り目Ｘに至るまでの区間に切れ目Ｙが形成されている。そのため、底壁部６ａの折曲部６ａ１と共に側壁部６ｂの一部を外側に折り曲げた場合でも、上蓋部６ｃに変形が生じないようになっている。
【００４４】
そして、図５（ｂ）に示すように、この箱体６に、ガラス板積層体１を梱包したガラス板梱包体の状態では、底壁部６ａの非折曲部６ａ２と折曲部６ａ１とが同一平面上に位置し、これら非折曲部６ａ２と折曲部６ａ１の双方でガラス板積層体１の底面が支持されている。
【００４５】
図５（ｃ）に示すように、ガラス板積層体１の開梱作業時には、例えば、箱体６の底壁部６ａの非折曲部６ａ２を、底壁部６ａよりも幅狭な上面を有する台座９の上に載置した状態で、折曲部６ａ１を下方に折り曲げる。そうすると、ガラス板積層体１の底面のうち、折曲部６ａ１によって支持されていた領域が下方側から外部に露出する。そのため、このガラス板積層体１の底面の露出部分の下に作業者の手指を挿入することができる。一方、ガラス板積層体１の梱包作業時には、同様に、箱体６を台座９の上に載置して、底壁部６ａに設けられた折曲部６ａ１を下方に折り曲げておき、この状態の箱体６にガラス板積層体１を積み込めば、ガラス板積層体１の底面の一部が下方側から外部に露出するため、作業者の手指を抜き取ることができる。
【００４６】
なお、図５では、折曲部６ａ１と共に側壁部６ｂも外側に開いて倒れる構成を例示したが、側壁部６ｂが底壁部６ａから取り外し可能な構成（例えば、上蓋部６ｃと共に取り外される構成）である場合には、折曲部６ａ１のみが下方側に折れ曲がる構成としてもよい。また、第２実施形態のように、側壁部６ｂの内面とガラス板積層体１の側面との間に隙間Ｓが設けられている場合には、側壁部６ｂでガラス板積層体１の周囲を囲繞した状態のまま、折曲部６ａ１のみが下方側に折れ曲がる構成としてもよい。
【符号の説明】
【００４７】
１        ガラス板積層体
２        ガラス板
３        保護シート
４        天板
５        底板
６        箱体
６ａ      底壁部
６ａ１    折曲部
６ａ２    非折曲部
６ｂ      側壁部
６ｃ      上蓋部
７        支持板
７ａ      切欠凹部
８        規制部材
Ｓ        隙間
【図１】
2012051586.tif 000003
【図２】
2012051586.tif 000004
【図３】
2012051586.tif 000005
【図４】
2012051586.tif 000006
【図５】
2012051586.tif 000007